(57)【要約】      （修正有）【課題】消費電力が格段に少なく、かつ高容量で高電圧にして軽量のリチュウムイオンポリマーバッテリーを採用した街路灯を提供する。【解決手段】支柱２下部に基盤３を取り付けた上端部にソーラーパネル４を取り付け、そのソーラーパネル４の背面に、ＣＰＵコントローラとリチウムイオンポリマーバッテリーを収めた制御ボックス８をソーラーパネル４と一体状にするとともに、支柱２の中ほど上部に、高輝度ＬＥＤを有する照明灯１１を取り付ける。【選択図】図１
0003168052.tif 000002
【実用新案登録請求の範囲】
【請求項１】
支柱下部に基盤を取り付けた上端部にソーラーパネルを取り付け、該ソーラーパネルの背面に、ＣＰＵコントローラとリチウムイオンポリマーバッテリーを収めた制御ボックスを前記ソーラーパネルと一体状にするとともに、前記支柱の中ほど上部に高輝度ＬＥＤを有する照明灯を取り付けたことを特徴とする街路灯。
【請求項２】
前記する照明灯に、人感知センサーを設けて成る請求項１に記載する街路灯。
【請求項３】
前記するソーラーパネルの上辺部に、複数本の鳥除けピンを設けて成る請求項１又は請求項２に記載する街路灯。
【請求項４】
前記する支柱が枝分かれし、その枝分かれした支柱上端部に風力発電を取り付けて成る請求項１に記載する街路灯。
【考案の詳細な説明】
【技術分野】
【０００１】  本考案は、街路灯の消費電力が格段に少なく、かつ高容量で、高電圧にして軽量のリチュウムイオンポリマー電池を採用することによる機能的な街路灯に関する。
【背景技術】
【０００２】  従来より、一般的な街路灯は交流電源を用いて点灯しているが、最近はソーラーパネルから得た電力を蓄電して、暗くなると点灯できるようにした街路灯も多くなってきている。【０００３】  また、街路灯の支柱上部に照明灯とバッテリーを取り付けて成る上端部に、方向可変可能なソーラーパネルを備えることで、昼間蓄えた太陽光により夜間の街路灯の照明が行える技術がある（例えば、特許文献１参照）
【先行技術文献】
【０００４】
【特許文献１】特開２００３−１５１３２０公報
【考案が解決しようとする課題】
【０００５】  前記するように、一般的な街路灯は交流電源を用いて点灯しているが、最近はソーラーパネルから得た電力を蓄電して、暗くなると点灯できるようにした街路灯も多くなってきている。
【０００６】  特開２００３−１５１３２０公報による技術は、街路灯の支柱上部に照明灯とバッテリーを取り付けて成る上端部に、方向可変可能なソーラーパネルを備えることで、昼間蓄えた太陽光により夜間の街路灯の照明が行える技術である。
【０００７】  しかしこの技術は、ソーラーパネルによって電源を得るのは良いとしても、その電力を蓄えるバッテリーは一般的に多用されている鉛電池を採用しているので、形状も大きく、かつ重量が重いのが不便であり欠点であった。
【課題を解決するための手段】
【０００８】  本考案による街路灯は従来の持つ不便や欠点を解消するために、請求項１においては、支柱下部に基盤を取り付けた上端部にソーラーパネルを取り付け、該ソーラーパネルの背面に、ＣＰＵコントローラとリチウムイオンポリマーバッテリーを収めた制御ボックスを前記ソーラーパネルと一体状にするとともに、前記支柱の中ほど上部に高輝度ＬＥＤを有する照明灯を取り付けた街路灯とする。
【０００９】  請求項２においては、前記する照明灯に、人感知センサーを設けて成る街路灯とする。
【００１０】  請求項３においては、前記するソーラーパネルの上辺部に、複数本の鳥除けピンを設けた街路灯とする。
【００１１】  請求項４においては、前記する支柱が枝分かれし、その枝分かれした支柱上端部に風力発電を取り付けて成る街路灯とする。
【考案の効果】
【００１２】  本考案による街路灯は、支柱上部にソーラーパネルを取り付け、その背面に超高性能なリチウムイオンポリマーバッテリーと極めて小さいＣＰＵコントローラーを収めた制御ボックスをソーラーパネルに一体状に設けているので、外観形状はシンプルにして美しい形態を成す。
【００１３】  さらにソーラーパネル下部に位置する照明灯は明るく照らすに十分な１２Ｗであるとともに、その照明灯には人感知センサーを設けているので、通常は３Ｗ程度であるが、その照明灯の５メートル以内に近づくと１２Ｗとなって明るくなり、人が離れると元に戻る省エネ効果を発揮し、仮に日照時間が少ない日でも４日以上点灯続けることができる照明灯である。
【００１４】  加えて、太陽光発電式により配線等の電気工事が不要で、ひいては二酸化炭素の削減及び電気料金のコスト削減をはじめ維持管理費等大幅に削減できる街路灯であり、かつ初期投資投資のみで長寿命である。
【００１５】  また、ＬＥＤ照明は、従来の電球に含まれる可視光線以外の紫外線や赤外線が少なく、紫外線による昆虫飛来の防止対策にもなるので昆虫等の死骸などの散乱を防ぐので路面の衛生面が保たれる。
【００１６】  また構成的に支柱を短くしたり無くした別仕様を作ると、樹木や玄関等に取り付けることも可能であるとともに、特に青色ＬＥＤの照明灯にすれば心理的に犯罪抑止効果も得られるなど様々な設置環境に合わせた活用ができる。
【００１７】  本考案による街路灯は、電線が不要でバッテリーも極めて小さいためシンプルにして美しい美観形状を保てるとともに、雪や暴風・大雨に対しても耐自然環境性が高い街路灯を維持できるため、市中や道路の設置においては周囲の住環境にもマッチして美しい形態を成す街路灯である。
【００１８】  加えて、超高性能の蓄電池を備えているので、災害や緊急避難場所となる公園や学校、公共の場においてはとりわけ効果的な照明灯となり、交流１００Ｖ電源で汚水浄水器御設置することも可能とし、特に災害時に必要な通信用の携帯電話やＰＣ用の電源を確保をすることも容易で、ソーラー発電と風力発電による自然エネルギーよる環境に優しい。
【００１９】  以上のような効果や特性を有するにも関わらず製造コストは安価であるので行政の財政負担も抑えられ、かつ設置後のメンテナンスや維持管理費も安く今後の時代に即した街路灯を提供できる。
【図面の簡単な説明】
【００２０】
【図１】本考案による街路灯の実施形態を示す斜視図である。
【図２】本考案による街路灯のソーラーパネル部の背面拡大斜視図である。
【図３】本考案の主要部となる太陽電池充放電コントローラ回路ブロック図である。
【考案を実施するための最良の形態】
【実施例１】
【００２１】  本考案による街路灯の実施形態の実施例１を、図１に示す斜視図と図２に示すソーラパネル背面の背面部を示す拡大斜視図、３に示す街路灯の要部となる太陽電池充放電コントローラ回路ブロック図で説明する。【００２２】  本考案による実施例１の街路灯１は、高さ約４６００ｍｍ程度の支柱２の下部に、ボルト止めできる基盤３を取り付けるとともに、その支柱２上端部に、上下の長さ約１２００ｍｍ程度の大きさで成る約１７．２Ｖ、８０Ｗの太陽電池（以下、ソーラパネル４と称する）を取り付け、そのソーラパネル４の上辺部に複数本の鳥除けピン５を設ける。【００２３】  次に、前記するソーラパネル４の背面の支柱２取り付け部位には、この街路灯１の主要部となるリチウムイオンポリマーバッテリー６とＣＰＵコントローラー７を小さな制御ボックス８に収め、その制御ボックス８を前記ソーラパネル４の背面に一体状に取り付けるとともに、前記支柱２の基盤３から約３５００ｍｍ程度の支柱２部位に、人感知センサー９を設けた１２Ｗの高輝度ＬＥＤ１０（図示しない）を有する照明灯１１を支柱２に取り付けて成る街路灯１を構成する。【００２４】  本考案による街路灯１は以上のような構成であるので、外観形態は一定の高さの支柱２の上端部に８０Ｗのソーラーパネル４を取り付けるとともに、その背面に取り付けた図４に示す太陽電池充放電コントローラー回路ブロック図１２に示すように、ＣＰＵコントローラー７と、長寿命、軽量で、かつ超高性能のリチウムイオンポリマーバッテリー６を制御ボックス８に収めているので、従来のような鉛電池に比べて形状は極めて小さく、かつ高機能のソーラーパネル４から得た電力を効率よく蓄電し、かつ放電することができる。【００２５】  また、街路灯１の外観形状は支柱２の上端に設けたソーラーパネル４の裏面に、ＣＰＵコントローラー７と超高性能のリチウムイオンポリマーバッテリー６を収めた制御ボックス８は極めて小さく目立たないので、全体がシンプルにして美的外観を網羅した美しい街路灯１となる。加えて、ソーラーパネル４の上端辺には鳥除けのピン５を設けて鳥が止まるのを防ぐので、鳥の糞害によるソーラーパネル４の汚れを最小限に防ぎ掃除などの手間や面倒もなくなる。【００２６】  加えて、ソーラーパネル４の下部に設けた照明灯１１は１２Ｗの高緯度ＬＥＤ１０（図示しない）照明を採用しているので、通常は３Ｗ程度であるが、その照明灯１１の下部に設けた人感知センサー９により、人が近づくと１２Ｗとなって明るくなり、人が離れると元に戻るので省エネ効果を得られる照明灯１１を採用した街路灯１となる。
【実施例２】
【００２７】  実施例２の街路灯を図４に示す斜視図で説明する。
本考案による街路灯は１は、前記実施例１タイプのように支柱２上端にソーラーパネル４を設けその下部に照明灯１１を設けた支柱２の中ほどから枝分かれした支柱２Ａの上端部に風力発電１３を取り付けて、その風力発電１３による電力を、前記実施例１に示した太陽電池充放電コントローラー回路に（図示しない）取り込んで、前記ソーラーパネル４による太陽光エネルギーと風力発電１３による風力エネルギーを組み合わせた複合発電を成す街路灯１を構成する。【００２８】  実施例２の街路灯１は、前記実施例１タイプに風力発電１３を組み合わせいるので、太陽エネルギーと風力エネルギーの複合による蓄電が得られるので、例えば、日照時間が少ない時は風力発電１３で蓄えられ、晴れているが風が弱い時はソーラーパネル４で、お互いが補足し合って効率よく発電・蓄電できる街路灯１となる。
【符号の説明】
【００２９】１  街路灯
２  支柱
２Ａ  支柱
３  基盤
４  ソーラーパネル
５  鳥除けピン
６  リチウムイオンポリマーバッテリー
７  ＣＰＵコントローラ
８  制御ボックス
９  人感知センサー
１０  高輝度ＬＥＤ
１１  照明灯
１２  太陽電池充放電コントローラ回路ブロック図
１３  風力発電
【図１】
0003168052.tif 000003
【図２】
0003168052.tif 000004
【図３】
0003168052.tif 000005
【図４】
0003168052.tif 000006
【図５】
0003168052.tif 000007
【手続補正書】
【提出日】平成23年2月7日(2011.2.7)
【手続補正１】
【補正対象書類名】明細書
【補正対象項目名】００２０
【補正方法】変更
【補正の内容】
【００２０】
【図１】本考案による街路灯の実施形態の実施例１を示す斜視図である。
【図２】本考案による街路灯のソーラーパネル部の背面拡大斜視図である。
【図３】本考案による街路灯の側面図である。
【図４】本考案の主要部となる太陽電池充放電コントローラ回路ブロック図である。
【図５】本考案による街路灯の実施例２示す斜視図である。
【手続補正２】
【補正対象書類名】明細書
【補正対象項目名】００２１
【補正方法】変更
【補正の内容】
【００２１】  本考案による街路灯の実施形態の実施例１を、図１に示す斜視図と図２に示すソーラパネル背面の背面部を示す拡大斜視図、図４に示す街路灯の要部となる太陽電池充放電コントローラ回路ブロック図で説明する。
【手続補正３】
【補正対象書類名】明細書
【補正対象項目名】００２７
【補正方法】変更
【補正の内容】
【００２７】  実施例２の街路灯を図５に示す斜視図で説明する。
本考案による街路灯１は、前記実施例１タイプのように支柱２上端にソーラーパネル４を設けその下部に照明灯１１を設けた支柱２の中ほどから枝分かれした支柱２Ａの上端部に風力発電１３を取り付けて、その風力発電１３による電力を、前記実施例１に示した太陽電池充放電コントローラー回路に（図示しない）取り込んで、前記ソーラーパネル４による太陽光エネルギーと風力発電１３による風力エネルギーを組み合わせた複合発電を成す街路灯１を構成する。